【手続補正書】
【提出日】平成19年3月27日(2007.3.27)
【手続補正１】
【補正対象書類名】特許請求の範囲
【補正対象項目名】全文
【補正方法】変更
【補正の内容】
【特許請求の範囲】
【請求項１】
患者の標的組織中の血管の形成または修復を誘導するための薬剤を調製するための、マーカーSTRO-1を発現する細胞の富化した集団の有効量の使用。
【請求項２】
前記マーカーSTRO-1を発現する前記細胞が間葉系前駆細胞(MPC)である、請求項1に記載の使用。
【請求項３】
血管の修復が動脈形成をもたらす、請求項1または請求項2に記載の使用。
【請求項４】
血管の修復が、α-平滑筋アクチンを発現する細胞による血管のコーティングをもたらす、請求項1または請求項2に記載の使用。
【請求項５】
前記富化した集団が、クローン原性コロニーを形成することができる少なくとも0.01%のMPCを含む、請求項1に記載の使用。
【請求項６】
前記富化した集団が、クローン原性コロニーを形成することができる少なくとも1%のMPCを含む、請求項1に記載の使用。
【請求項７】
前記富化した集団が少なくとも0.01%のSTRO-1陽性MPCを含む、請求項1に記載の使用。
【請求項８】
前記富化した集団が少なくとも0.1%のSTRO-1陽性MPCを含む、請求項1に記載の使用。
【請求項９】
前記富化した集団が少なくとも1%のSTRO-1陽性MPCを含む、請求項1に記載の使用。
【請求項１０】
前記細胞の富化した集団がさらに、マーカー3G5、MUC18/CD146およびα-平滑筋アクチンの1つまたは複数に対して陽性である、請求項1から9のいずれか一項に記載の使用。
【請求項１１】
前記細胞の富化した集団がマーカーVCAM-1をさらに同時発現する、請求項1から10のいずれか一項に記載の使用。
【請求項１２】
前記細胞の富化した集団がTHY-1、VCAM-1、ICAM-1、PECAM-1、CD49a/CD49b/CD29、CD49c/CD29、CD49d/CD29、CD29、CD61、インテグリンβ5、6〜19、トロンボモジュリン、CD1O、CD13、SCF、PDGF-R、EGF-R、IGF-1R、NGF-R、FGF-Rおよびレプチン-R(STRO-2)からなる群から選択されるマーカーの1つまたは複数のいずれかを同時発現する、請求項1から11のいずれか一項に記載の使用。
【請求項１３】
前記細胞の富化した集団がCD34、CD45、およびグリコホリン-Aなどの造血系統のマーカー陰性である、請求項1から12のいずれか一項に記載の使用。
【請求項１４】
前記細胞の富化した集団が、脂肪組織、歯、歯髄、皮膚、肝臓、腎臓、心臓、網膜、脳、毛包、腸、肺、脾臓、リンパ節、胸腺、膵臓、骨、靭帯、骨髄、腱、および骨格筋からなる群の組織に由来する、請求項1から13のいずれか一項に記載の使用。
【請求項１５】
前記細胞の富化した集団を、血管新生組織源内の血管周囲の適所から富化させる、請求項1から14のいずれか一項に記載の使用。
【請求項１６】
前記細胞の富化した集団が、非造血血管新生組織内の血管周囲の適所に由来する、請求項1から15のいずれか一項に記載の使用。
【請求項１７】
前記富化した集団を投与前に培養および/または増殖させる、請求項1から16のいずれか一項に記載の使用。
【請求項１８】
前記培養および／または増殖した集団が、クローン原性コロニーを形成し3つ以上の間葉組織型に分化することができる少なくとも0.01%のMPCを含む、請求項17に記載の使用。
【請求項１９】
前記培養および／または増殖した集団が、クローン原性コロニーを形成することができる少なくとも1%のMPCを含む、請求項17に記載の使用。
【請求項２０】
前記培養および／または増殖した集団が少なくとも0.1%のSTRO-1陽性MPCを含む、請求項17に記載の使用。
【請求項２１】
前記培養および／または増殖した集団が少なくとも1%のSTRO-1陽性MPCを含む、請求項17に記載の使用。
【請求項２２】
前記培養および／または増殖した集団が少なくとも10%のSTRO-1陽性MPCを含む、請求項17に記載の使用。
【請求項２３】
前記細胞集団を102倍と104倍の間の範囲で増殖させる、請求項17から22のいずれか一項に記載の使用。
【請求項２４】
血管または血管周囲組織由来のα-平滑筋アクチンを発現する細胞の消失と関係がある疾患に前記患者が罹患している、請求項1から23のいずれか一項に記載の使用。
【請求項２５】
前記細胞の富化した集団を、異常な増殖、漏出、または動脈瘤血管を含めた修復の必要がある異常な血管を含む標的組織に投与する、請求項24に記載の使用。
【請求項２６】
前記標的組織が虚血を示す、請求項1から25のいずれか一項に記載の使用。
【請求項２７】
前記患者が脳血管虚血、腎臓虚血、肺虚血、四肢虚血、虚血性心筋症および心筋虚血からなる群から選択される状態の治療の必要がある、請求項26に記載の使用。
【請求項２８】
前記標的組織が心筋層である、請求項1から37のいずれか一項に記載の使用。
【請求項２９】
前記対象が、虚血性心臓疾患、冠状動脈疾患、急性心筋梗塞、うっ血性心不全、心筋症、またはアンギナからなる心臓血管疾患に罹患している、請求項28に記載の使用。
【請求項３０】
前記細胞の富化した集団が新しい血管構造を構築する、請求項1から29のいずれか一項に記載の使用。
【請求項３１】
前記細胞の富化した集団が新しい血管構造の形成を誘導する、請求項1から29のいずれか一項に記載の使用。
【請求項３２】
前記細胞の富化した集団が新しい心筋細胞の形成を誘導する、請求項28または請求項29に記載の使用。
【請求項３３】
前記細胞の富化した集団が常在性心筋細胞の増殖を誘導する、請求項28または請求項29に記載の使用。
【請求項３４】
前記細胞が自己由来である、請求項1から33のいずれか一項に記載の使用。
【請求項３５】
前記細胞が同種異系源由来である、請求項1から33のいずれか一項に記載の使用。
【請求項３６】
対象の心臓機能を改善するための薬剤を調製するための、マーカーSTRO-1を発現する細胞の富化した集団の使用。
【請求項３７】
前記対象が虚血性心臓疾患、冠状動脈疾患、急性心筋梗塞、うっ血性心不全、心筋症、またはアンギナからなる心臓血管疾患に罹患している、請求項36に記載の使用。
【請求項３８】
前記マーカーSTRO-1を発現する前記細胞が間葉系前駆細胞(MPC)である、請求項36または請求項37に記載の使用。
【請求項３９】
前記富化した集団が、クローン原性コロニーを形成することができる少なくとも1%のMPCを含む、請求項36から38のいずれか一項に記載の使用。
【請求項４０】
前記富化した集団が少なくとも0.01%のSTRO-1陽性MPCを含む、請求項36から39のいずれか一項に記載の使用。
【請求項４１】
前記富化した集団が少なくとも0.1%のSTRO-1陽性MPCを含む、請求項36から39のいずれか一項に記載の使用。
【請求項４２】
前記富化した集団が少なくとも1%のSTRO-1陽性MPCを含む、請求項36から39のいずれか一項に記載の使用。
【請求項４３】
前記細胞の富化した集団が、マーカー3G5、MUC18/CD146およびα-平滑筋アクチンの1つまたは複数に対して陽性である、請求項36から42のいずれか一項に記載の使用。
【請求項４４】
前記細胞の富化した集団がマーカーVCAM-1をさらに同時発現する、請求項36から43のいずれか一項に記載の使用。
【請求項４５】
前記細胞の富化した集団がTHY-1、VCAM-1、ICAM-1、PECAM-1、CD49a/CD49b/CD29、CD49c/CD29、CD49d/CD29、CD29、CD61、インテグリンβ5、6〜19、トロンボモジュリン、CD1O、CD13、SCF、PDGF-R、EGF-R、IGF-1R、NGF-R、FGF-Rおよびレプチン-R(STRO-2)からなる群から選択されるマーカーの1つまたは複数のいずれかを同時発現する、請求項36から44のいずれか一項に記載の使用。
【請求項４６】
前記細胞の富化した集団がCD34、CD45、およびグリコホリン-Aだけには限られないがこれらを含めた造血系統のマーカーに陰性である、請求項36から45のいずれか一項に記載の使用。
【請求項４７】
前記細胞の富化した集団を、血管新生組織源内の血管周囲の適所から単離する、請求項36から45のいずれか一項に記載の使用。
【請求項４８】
前記細胞の富化した集団が、非造血血管新生組織内の血管周囲の適所に由来する、請求項36から45のいずれか一項に記載の使用。
【請求項４９】
前記富化した集団を投与前に培養および/または増殖させる、請求項36から48のいずれか一項に記載の使用。
【請求項５０】
前記培養および/または増殖した集団が、クローン原性コロニーを形成することができる少なくとも1%のMPCを含む、請求項49に記載の使用。
【請求項５１】
前記培養および/または増殖した集団が、少なくとも1%のSTRO-1陽性MPCを含む、請求項49に記載の使用。
【請求項５２】
前記培養および/または増殖した集団が、少なくとも10%のSTRO-1陽性MPCを含む、請求項49に記載の使用。
【請求項５３】
前記細胞の富化した集団が新しい血管構造を構築する、請求項36から48のいずれか一項に記載の使用。
【請求項５４】
前記細胞の富化した集団が新しい血管構造の形成を誘導する、請求項36から48のいずれか一項に記載の使用。
【請求項５５】
前記細胞の富化した集団が分化し心筋細胞を構築する、請求項36から48のいずれか一項に記載の使用。
【請求項５６】
前記細胞の富化した集団が新しい心筋細胞の形成を誘導する、請求項36から48のいずれか一項に記載の使用。
【請求項５７】
前記細胞の富化した集団が常在性心筋細胞の増殖を誘導する、請求項36から48のいずれか一項に記載の使用。
【請求項５８】
前記培養および/または増殖した細胞の集団が新しい血管構造の形成を誘導する、請求項49から52のいずれか一項に記載の使用。
【請求項５９】
前記培養および/または増殖した細胞の集団が分化し心筋細胞を構築する、請求項49から52のいずれか一項に記載の使用。
【請求項６０】
前記培養および/または増殖した細胞の集団が新しい心筋細胞の形成を誘導する、請求項49から52のいずれか一項に記載の使用。
【請求項６１】
前記培養および/または増殖した細胞の集団が常在性心筋細胞の増殖を誘導する、請求項49から52のいずれか一項に記載の使用。
【請求項６２】
前記細胞が自己由来である、請求項36から61のいずれか一項に記載の使用。
【請求項６３】
前記細胞が同種異系源由来である、請求項36から61のいずれか一項に記載の使用。